(57)【要約】【課題】弁ハウジングに、弁室と、該弁室の一端に臨むテーパ状の弁座と、該弁座の中央部に開口する入口流路と、前記弁室の他端に開口する出口流路とが形成され、弁座に着座可能な球面状の弁部を有する弁体が弁室に収容され、前記弁体および弁ハウジング間にコイルばねが設けられる一方向弁において、弁体が振り子状の振動を生じることを抑制して、異音の発生を抑制する。【解決手段】入口流路１８を弁室１６の下方に配置するとともに出口流路１９を弁室１６の上方に配置するように弁ハウジング１１の姿勢が設定され、弁体１２Ａの弁部２１内に重錘２６が埋設される。【選択図】        図１
2011033110.tif 000002
【特許請求の範囲】
【請求項１】
弁ハウジング（１１）に、弁室（１６）と、該弁室（１６）の一端に臨むテーパ状の弁座（１７）と、該弁座（１７）の中央部に開口する入口流路（１８）と、前記弁室（１６）の他端に開口する出口流路（１９）とが形成され、前記弁座（１７）に着座可能な球面状の弁部（２１）を有する弁体（１２Ａ）が前記弁室（１６）に収容され、前記弁体（１２Ａ）に設けられる弁側受け部（２２）に一端部が当接されるコイルばね（１３）の他端部が、前記弁ハウジング（１１）に設けられるハウジング側受け部（２５）に当接される一方向弁において、前記入口流路（１８）を前記弁室（１６）の下方に配置するとともに前記出口流路（１９）を前記弁室（１６）の上方に配置するように前記弁ハウジング（１１）の姿勢が設定され、前記弁体（１２Ａ）の弁部（２１）内に重錘（２６）が埋設されることを特徴とする一方向弁。
【請求項２】
弁ハウジング（１１）に、弁室（１６）と、該弁室（１６）の一端に臨むテーパ状の弁座（１７）と、該弁座（１７）の中央部に開口する入口流路（１８）と、前記弁室（１６）の他端に開口する出口流路（１９）とが形成され、前記弁座（１７）に着座可能な球面状の弁部（２７）を有する弁体（１２Ｂ）が前記弁室（１６）に収容され、前記弁体（１２Ｂ）に設けられる弁側受け部（２８）に一端部が当接されるコイルばね（１３）の他端部が、前記弁ハウジング（１１）に設けられるハウジング側受け部（２５）に当接される一方向弁において、前記入口流路（１８）を前記弁室（１６）の下方に配置するとともに前記出口流路（１９）を前記弁室（１６）の上方に配置するように前記弁ハウジング（１１）の姿勢が設定され、前記弁部（２７）の軸線に直交する方向での前記コイルばね（１３）の一端部の変位を阻止するようにして前記コイルばね（１３）の一端部内に挿入されるばね保持部（２９）が、前記弁部（２７）の上面に形成される前記弁側受け部（２８）から前記出口流路（１９）側に延びて前記弁体（１２Ｂ）に一体に設けられ、該ばね保持部（２９）に、肉抜き部（３０）が形成されることを特徴とする一方向弁。
【請求項３】
弁ハウジング（１１）に、弁室（１６）と、該弁室（１６）の一端に臨むテーパ状の弁座（１７）と、該弁座（１７）の中央部に開口する入口流路（１８）と、前記弁室（１６）の他端に開口する出口流路（１９）とが形成され、前記弁座（１７）に着座可能な球面状の弁部（３１，３５，４１）を有する弁体（１２Ｃ，１２Ｄ，１２Ｅ）が前記弁室（１６）に収容され、前記弁体（１２Ｃ〜１２Ｅ）に設けられる弁側受け部（３２，３６，４２）に一端部が当接されるコイルばね（１３）の他端部が、前記弁ハウジング（１１）に設けられるハウジング側受け部（２５）に当接される一方向弁において、前記入口流路（１８）を前記弁室（１６）の下方に配置するとともに前記出口流路（１９）を前記弁室（１６）の上方に配置するように前記弁ハウジング（１１）の姿勢が設定され、前記弁側受け部（３２，３６，４２）と、前記弁部（３１，３５，４１）の軸線に直交する方向での前記コイルばね（１３）の一端部の変位を阻止するようにして該コイルばね（１３）の一端部を保持するばね保持部（３３，３７，４３）の少なくとも一部とが、前記弁部（３１，３５，４１）の上面から下方に凹むようにして前記弁部（３１，３５，４１）に設けられることを特徴とする一方向弁。
【請求項４】
弁ハウジング（１１）に、弁室（１６）と、該弁室（１６）の一端に臨むテーパ状の弁座（１７）と、該弁座（１７）の中央部に開口する入口流路（１８）と、前記弁室（１６）の他端に開口する出口流路（１９）とが形成され、前記弁座（１７）に着座可能な球面状の弁部（４５）を有する弁体（１２Ｆ）が前記弁室（１６）に収容され、前記弁体（１２Ｆ）に設けられる弁側受け部（４６）に一端部が当接されるコイルばね（１３）の他端部が、前記弁ハウジング（１１）に設けられるハウジング側受け部（２５）に当接される一方向弁において、前記入口流路（１８）を前記弁室（１６）の下方に配置するとともに前記出口流路（１９）を前記弁室（１６）の上方に配置するように前記弁ハウジング（１１）の姿勢が設定され、前記弁部（４５）の上面に形成される前記弁側受け部（４６）から前記出口流路（１９）側に延びて前記コイルばね（１３）の一端部内に挿入されるばね保持部（４７）が、前記弁部（４５）よりも小径かつ前記弁部（４５）よりも軸方向長さを短くして前記弁体（１２Ｆ）に一体に設けられることを特徴とする一方向弁。
【請求項５】
前記ばね保持部（３７，４７）の前記弁部（３５，４５）からの軸方向突出長さが、前記コイルばね（１３）の２巻以下に設定されることを特徴とする請求項３または４記載の一方向弁。
【請求項６】
弁ハウジング（１１）に、弁室（１６）と、該弁室（１６）の一端に臨むテーパ状の弁座（１７）と、該弁座（１７）の中央部に開口する入口流路（１８）と、前記弁室（１６）の他端に開口する出口流路（１９）とが形成され、前記弁座（１７）に着座可能な球面状の弁部（２１）を有する弁体（１２Ａ，１２Ｂ，１２Ｃ，１２Ｄ，１２Ｅ）が前記弁室（１６）に収容され、前記弁体（１２Ａ〜１２Ｅ）に設けられる弁側受け部（２２，２８，３２，３６，４２，４６）に一端部が当接されるコイルばね（１３）の他端部が、前記弁ハウジング（１１）に設けられるハウジング側受け部（２５）に当接される一方向弁において、前記入口流路（１８）を前記弁室（１６）の下方に配置するとともに前記出口流路（１９）を前記弁室（１６）の上方に配置するように前記弁ハウジング（１１）の姿勢が設定され、前記弁体（１２Ａ〜１２Ｅ）の重心（Ｇ）が前記弁側受け部（２２，２８，３２，３６，４２，４６）よりも下方に配置されることを特徴とする一方向弁。
【請求項７】
前記弁体（１２Ａ〜１２Ｅ）の重心（Ｇ）が、流体の非流通状態で前記入口流路（１８）の中心線（ＣＬ）上に配置されることを特徴とする請求項６記載の一方向弁。
【請求項８】
前記出口流路（１９）の流通面積が前記入口流路（１８）の流通面積よりも大きく設定され、前記コイルばね（１３）が、前記弁側受け部（２２，２８，３２，３６，４２，４６）から前記ハウジング側受け部（２５）側に向かうにつれて拡径して前記弁体（１２Ａ〜１２Ｆ）と同軸に配置される円錐コイルばねであることを特徴とする請求項１〜７のいずれかに記載の一方向弁。
【発明の詳細な説明】
【技術分野】
【０００１】
本発明は、弁ハウジングに、弁室と、該弁室の一端に臨むテーパ状の弁座と、該弁座の中央部に開口する入口流路と、前記弁室の他端に開口する出口流路とが形成され、前記弁座に着座可能な球面状の弁部を有する弁体が前記弁室に収容され、前記弁体に設けられる弁側受け部に一端部が当接されるコイルばねの他端部が、前記弁ハウジングに設けられるハウジング側受け部に当接される一方向弁に関する。
【背景技術】
【０００２】
球面状の弁部に、コイルばねの一端部内に挿入される軸状のばね保持部が一体に連なって成る弁体が弁室内に収容され、弁ハウジングおよび弁体間に、コイルばねが縮設されるようにした一方向弁を、リリーフ弁として用いるようにしたものが、特許文献１で知られている。
【先行技術文献】
【特許文献】
【０００３】
【特許文献１】特開平０８−１０９８５８号公報
【発明の概要】
【発明が解決しようとする課題】
【０００４】
上記特許文献１で開示された一方向弁では、図８で示すように、コイルばね１３で入口流路１８側に付勢された弁体５０の弁部５１に前記入口流路１８側から作用する流体力作用中心Ｐが弁体５０の重心Ｇよりも弁座１７側にあるので、弁体５０が重心Ｇを中心とした振り子状の振動を生じ易く、異音発生の原因となっている。
【０００５】
本発明は、かかる事情に鑑みてなされたものであり、弁体が振り子状の振動を生じることを抑制して、異音の発生を抑制し得るようにした一方向弁を提供することを目的とする。
【課題を解決するための手段】
【０００６】
上記目的を達成するために、本発明は、弁ハウジングに、弁室と、該弁室の一端に臨むテーパ状の弁座と、該弁座の中央部に開口する入口流路と、前記弁室の他端に開口する出口流路とが形成され、前記弁座に着座可能な球面状の弁部を有する弁体が前記弁室に収容され、前記弁体に設けられる弁側受け部に一端部が当接されるコイルばねの他端部が、前記弁ハウジングに設けられるハウジング側受け部に当接される一方向弁において、前記入口流路を前記弁室の下方に配置するとともに前記出口流路を前記弁室の上方に配置するように前記弁ハウジングの姿勢が設定され、前記弁体の弁部内に重錘が埋設されることを第１の特徴とする。
【０００７】
また本発明は、弁ハウジングに、弁室と、該弁室の一端に臨むテーパ状の弁座と、該弁座の中央部に開口する入口流路と、前記弁室の他端に開口する出口流路とが形成され、前記弁座に着座可能な球面状の弁部を有する弁体が前記弁室に収容され、前記弁体に設けられる弁側受け部に一端部が当接されるコイルばねの他端部が、前記弁ハウジングに設けられるハウジング側受け部に当接される一方向弁において、前記入口流路を前記弁室の下方に配置するとともに前記出口流路を前記弁室の上方に配置するように前記弁ハウジングの姿勢が設定され、前記弁部の軸線に直交する方向での前記コイルばねの一端部の変位を阻止するようにして前記コイルばねの一端部内に挿入されるばね保持部が、前記弁部の上面に形成される前記弁側受け部から前記出口流路側に延びて前記弁体に一体に設けられ、該ばね保持部に、肉抜き部が形成されることを第２の特徴とする。
【０００８】
本発明は、弁ハウジングに、弁室と、該弁室の一端に臨むテーパ状の弁座と、該弁座の中央部に開口する入口流路と、前記弁室の他端に開口する出口流路とが形成され、前記弁座に着座可能な球面状の弁部を有する弁体が前記弁室に収容され、前記弁体に設けられる弁側受け部に一端部が当接されるコイルばねの他端部が、前記弁ハウジングに設けられるハウジング側受け部に当接される一方向弁において、前記入口流路を前記弁室の下方に配置するとともに前記出口流路を前記弁室の上方に配置するように前記弁ハウジングの姿勢が設定され、前記弁側受け部と、前記弁部の軸線に直交する方向での前記コイルばねの一端部の変位を阻止するようにして該コイルばねの一端部を保持するばね保持部の少なくとも一部とが、前記弁部の上面から下方に凹むようにして前記弁部に設けられることを第３の特徴とする。
【０００９】
本発明は、弁ハウジングに、弁室と、該弁室の一端に臨むテーパ状の弁座と、該弁座の中央部に開口する入口流路と、前記弁室の他端に開口する出口流路とが形成され、前記弁座に着座可能な球面状の弁部を有する弁体が前記弁室に収容され、前記弁体に設けられる弁側受け部に一端部が当接されるコイルばねの他端部が、前記弁ハウジングに設けられるハウジング側受け部に当接される一方向弁において、前記入口流路を前記弁室の下方に配置するとともに前記出口流路を前記弁室の上方に配置するように前記弁ハウジングの姿勢が設定され、前記弁部の上面に形成される前記弁側受け部から前記出口流路側に延びて前記コイルばねの一端部内に挿入されるばね保持部が、前記弁部よりも小径かつ前記弁部よりも軸方向長さを短くして前記弁体に一体に設けられることを第４の特徴とする。
【００１０】
本発明は、第３または第４の特徴の構成に加えて、前記ばね保持部の前記弁部からの軸方向突出長さが、前記コイルばねの２巻以下に設定されることを第５の特徴とする。
【００１１】
本発明は、弁ハウジングに、弁室と、該弁室の一端に臨むテーパ状の弁座と、該弁座の中央部に開口する入口流路と、前記弁室の他端に開口する出口流路とが形成され、前記弁座に着座可能な球面状の弁部を有する弁体が前記弁室に収容され、前記弁体に設けられる弁側受け部に一端部が当接されるコイルばねの他端部が、前記弁ハウジングに設けられるハウジング側受け部に当接される一方向弁において、前記入口流路を前記弁室の下方に配置するとともに前記出口流路を前記弁室の上方に配置するように前記弁ハウジングの姿勢が設定され、前記弁体の重心が前記弁側受け部よりも下方に配置されることを第６の特徴とする。
【００１２】
本発明は、第６の特徴の構成に加えて、前記弁体の重心が、流体の非流通状態で前記入口流路の中心線上に配置されることを第７の特徴とする。
【００１３】
さらに本発明は、第１〜第７の特徴の構成のいずれかに加えて、前記出口流路の流通面積が前記入口流路の流通面積よりも大きく設定され、前記コイルばねが、前記弁側受け部から前記ハウジング側受け部側に向かうにつれて拡径して前記弁体と同軸に配置される円錐コイルばねであることを第８の特徴とする。
【発明の効果】
【００１４】
本発明の第１の特徴によれば、弁体の弁部内に重錘が埋設されることによって弁体の重心を弁部の流体力作用中心に近接させることができ、弁体の振り子運動の減衰時期を早め、振り子運動に伴って生じる異音を低減することができる。
【００１５】
本発明の第２の特徴によれば、弁部の上面に形成される弁側受け部から出口流路側に延びて弁体に一体に設けられるばね保持部がコイルばねの一端部内に挿入されることで、弁部の軸線に直交する方向でのコイルばねの一端部の変位を阻止しつつ、ばね保持部に肉抜き部が形成されることによって、弁体の軽量化を図って慣性モーメントを減らし、弁体の振り子運動の振幅を小さく抑えて、異音を低減することができる。
【００１６】
本発明の第３の特徴によれば、コイルばねの一端部がばね保持部で保持されることによって弁部の軸線に直交する方向でのコイルばねの一端部の変位を阻止しつつ、弁側受け部と、ばね保持部の少なくとも一部とが弁部の上面から下方に凹むようにして弁部に設けられるので、弁体の軽量化を図って慣性モーメントを減らし、弁体の振り子運動の振幅を小さく抑えて、異音を低減することができる。
【００１７】
本発明の第４の特徴によれば、ばね保持部がコイルばねの一端部内に挿入されることで弁部の軸線に直交する方向でのコイルばねの一端部の変位を阻止しつつ、ばね保持部が弁部よりも小径かつ弁部よりも軸方向長さを短くして形成されるので、弁体の軽量化を図って慣性モーメントを減らし、弁体の振り子運動の振幅を小さく抑えて、異音を低減することができる。
【００１８】
本発明の第５の特徴によれば、ばね保持部の弁部からの突出長さがコイルばねの２巻以下に設定されるので、コイルばねの一端部を良好に保持しつつ簡易な構成で弁体の重心を流体力作用中心に近接させることができる。
【００１９】
本発明の第６の特徴によれば、弁体の重心が弁側受け部よりも下方に配置されるので、コイルばねから弁体に作用するばね付勢力の全てが弁体の重心を押し下げる方向に働くことになり、コイルばねのばね荷重を大きく設定することなく、弁体の重心の位置を安定化することができる。
【００２０】
本発明の第７の特徴によれば、流体の非流通状態で入口流路の中心線上に弁体の重心が配置されるので、重心が前記中心線からずれたとしても前記中心線上に重心を戻す力が働き、弁体の振動をより効果的に抑制することができる。
【００２１】
さらに本発明の第８の特徴によれば、出口流路の流通面積が入口流路の流通面積よりも大きく設定されるので、弁室から出口流路への流体の流れを良好とすることができる。しかもコイルばねが、弁側受け部からハウジング側受け部側に向かうにつれて拡径して弁体と同軸に配置される円錐コイルばねであるので、弁体の中心を弁座中心に戻す力をコイルばねで発揮させるようにして弁体の振り子運動の振幅を小さくし、振動の減衰時をさらに早めることができる。
【図面の簡単な説明】
【００２２】
【図１】実施例１の逆止弁の縦断面図である。
【図２】弁体先端の横変位量を従来のものと対比して示す図である。
【図３】実施例２の逆止弁の縦断面図である。
【図４】実施例３の逆止弁の縦断面図である。
【図５】実施例４の逆止弁の縦断面図である。
【図６】実施例５の逆止弁の縦断面図である。
【図７】実施例６の逆止弁の縦断面図である。
【図８】従来の技術の弁体の振り子運動を説明するための図である。
【発明を実施するための形態】
【００２３】
以下、本発明の実施の形態について、図１〜図７を参照しながら説明する。
【実施例１】
【００２４】
図１および図２を参照しながら本発明の実施例１について説明するが、先ず図１において、この一方向弁は、たとえば燃料ポンプの吐出部に配設される逆止弁であり、弁ハウジング１１と、該弁ハウジング１１に収容される弁体１２Ａと、弁ハウジング１１および弁体１２Ａ間に設けられるコイルばね１３とを備える。
【００２５】
前記弁ハウジング１１は、たとえばハウジング主体１４と、該ハウジング主体１４に螺合される通路形成部材１５とから成る。この弁ハウジング１１には、弁室１６と、該弁室１６の一端に臨むテーパ状の弁座１７と、該弁座１７の中央部に開口する入口流路１８と、前記弁室１６の他端に開口する出口流路１９とが形成される。
【００２６】
前記ハウジング主体１４には、入口流路１８と、該入口流路１８を中央部に開口させるテーパ状の弁座１７と、前記入口流路１８と同軸にして前記弁座１７の大径端に一端が連なる収容孔２０とが同軸に設けられる。一方、前記通路形成部材１５は、前記入口流路１８と同軸の出口流路１９を形成して前記収容孔２０の他端部に螺合されるものであり、前記弁座１７および前記通路形成部材１５間に弁室１６が形成され、前記出口流路１９の流路面積は前記入口流路１８の流路面積よりも大きく設定される。而して弁ハウジング１１の姿勢は、前記入口流路１８を前記弁室１６の下方に配置するとともに前記出口流路１９を前記弁室１６の上方に配置するように設定される。
【００２７】
前記弁体１２Ａは、前記弁室１６に収容されるものであり、前記弁座１７に着座可能な球面状の弁部２１と、前記コイルばね１３の一端部を受けるようにして前記弁部２１の上面に形成される平坦な弁側受け部２２と、前記コイルばね１３の一端部を保持するようにして前記弁部２１に同軸に連なるばね保持部２３とを一体に有して、ゴムもしくは合成樹脂によって形成される。
【００２８】
前記ばね保持部２３は、前記弁側受け部２２の中央に基端部が連設される大径部分２３ａと、大径部分２３ａよりも小径にして大径部分２３ａの先端に同軸に連なる小径部分２３ｂとから成り、前記弁部２１から出口流路１９側に延びるようにして前記弁部２１に一体に連設される。
【００２９】
前記弁側受け部２２に当接される前記コイルばね１３の一端部内には前記ばね保持部２３が挿入されるものであり、前記ばね保持部２３における大径部分２３ａの基端外周には、弁側受け部２２に当接したコイルばね１３の一端部の一部を収容する環状凹部２４が設けられる。
【００３０】
前記コイルばね１３は、前記弁側受け部２２から前記ハウジング側受け部２５側に向かうにつれて拡径して前記弁体１２Ａと同軸に配置される円錐コイルばねであり、このコイルばね１３の他端部を受けるハウジング側受け部２５が弁ハウジング１１に設けられており、この実施例１では、弁ハウジング１１の一部を構成する通路形成部材１５の前記弁室１６に臨む一端面がハウジング側受け部２５として形成される。
【００３１】
しかも本発明に従えば、弁体１２Ａの前記弁部２１内には、弁体１２Ａを形成する材料よりも高比重である材料たとえば金属によって形成される重錘２６が埋設され、弁体１２Ａの重心Ｇは、前記弁側受け部２２よりも下方であって流体の非流通状態で前記入口流路１８の中心線ＣＬ上に配置される。
【００３２】
次にこの実施例１の作用について説明すると、弁体１２Ａの弁部２１内に重錘２６が埋設されるので、弁体１２Ａの重心を弁部２１の流体力作用中心に近接させることができ、弁体１２Ａの振り子運動の減衰時期を早め、振り子運動に伴って生じる異音を低減することができる。
【００３３】
ここで重錘が埋設されていない従来の弁体と、重錘２６が弁部２１に埋設された弁体１２Ａとで、振り子運動が生じたときの弁体先端部の横変位量の時間経過に伴う変化を比べると、従来の弁体では、図２（ａ）で示すように、振動が持続し、発散するのに対して、重錘２６が弁部２１に埋設された弁体１２Ａでは、図２（ｂ）で示すように、横変位量が速やかに小さくなり、弁体１２Ａの振り子運動の減衰時期が早まるので、振り子運動に伴って生じる異音を低減することができるのである。
【００３４】
しかも弁体１２Ａの重心Ｇが弁側受け部２２よりも下方にあるので、コイルばね１３から弁体１２Ａに作用するばね付勢力の全てが弁体１２Ａの重心Ｇを押し下げる方向に働くことになり、コイルばね１３のばね荷重を大きく設定することなく、弁体１２Ａの重心Ｇの位置を安定化することができる。また流体の非流通状態で入口流路１８の中心線ＣＬ上に弁体１２Ａの重心Ｇが配置されるので、重心Ｇが前記中心線ＣＬからずれたとしても前記中心線ＣＬ上に重心Ｇを戻す力が働き、弁体１２Ａの振動をより効果的に抑制することができる。
【００３５】
また出口流路１９の流通面積が入口流路１８の流通面積よりも大きく設定されるので、弁室１６から出口流路１９への流体の流れを良好とすることができる。さらにコイルばね１３が、弁側受け部２２からハウジング側受け部２５側に向かうにつれて拡径して弁体１２Ａと同軸に配置される円錐コイルばねであるので、弁体１２Ａの中心を弁座１７の中心に戻す力をコイルばね１３で発揮させるようにして弁体１２Ａの振り子運動の振幅を小さくし、振動の減衰時をさらに早めることができる。
【実施例２】
【００３６】
本発明の実施例２について図３を参照しながら説明するが、上記実施例１に対応する部分には同一の参照符号を付して図示するのみとし、詳細な説明は省略する。
【００３７】
弁ハウジング１１の弁室１６に収容される弁体１２Ｂは、弁座１７に着座可能な球面状の弁部２７と、前記コイルばね１３の一端部を受けるようにして前記弁部２７の上面に形成される平坦な弁側受け部２８と、前記コイルばね１３の一端部を保持するようにして前記弁部２７に同軸に連なるばね保持部２９とを一体に有して、ゴムもしくは合成樹脂によって形成される。しかも該弁体１２Ｂの重心Ｇは、前記弁側受け部２８よりも下方であって流体の非流通状態で入口流路１８の中心線ＣＬ上に配置される。
【００３８】
前記ばね保持部２９は、前記弁側受け部２８の中央に基端部が連設される大径部分２９ａと、大径部分２９ａよりも小径にして大径部分２９ａの先端に同軸に連なる小径部分２９ｂとから成り、弁部２７の軸線に直交する方向での前記コイルばね１３の一端部の変位を阻止すべく、コイルばね１３の一端部内に挿入されるようにして、前記弁部２７から出口流路１９側に延びるようにして前記弁部２７に一体に連設される。
【００３９】
しかも前記ばね保持部２９に、肉抜き部３０，３０が形成されるものであり、この実施例２では、ばね保持部２９における大径部分２９ａにたとえば２つの肉抜き部３０，３０が周方向に等間隔をあけて設けられる。
【００４０】
この実施例２によれば、弁部２７の上面に形成される弁側受け部２８から出口流路１９側に延びて弁体１２Ｂに一体に設けられるばね保持部２９がコイルばね１３の一端部内に挿入されることで、弁部２７の軸線に直交する方向でのコイルばね１３の一端部の変位を阻止しつつ、ばね保持部２９に肉抜き部３０…が形成されることによって、弁体１２Ｂの軽量化を図って慣性モーメントを減らし、弁体１２Ｂの振り子運動の振幅を小さく抑えて、異音を低減することができる。
【実施例３】
【００４１】
本発明の実施例３について図４を参照しながら説明するが、上記実施例１，２に対応する部分には同一の参照符号を付して図示するのみとし、詳細な説明は省略する。
【００４２】
弁ハウジング１１の弁室１６に収容される弁体１２Ｃは、弁座１７に着座可能な球面状の弁部３１と、前記コイルばね１３の一端部を受ける弁側受け部３２と、前記弁部３１の軸線に直交する方向での前記コイルばね１３の一端部の変位を阻止するようにして該コイルばね１３の一端部を保持するばね保持部３３とを有して、ゴムもしくは合成樹脂によって形成されており、前記弁側受け部３２と、前記ばね保持部３３の少なくとも一部が前記弁部３１の上面から下方に凹むようにして前記弁部３１に設けられる。しかも該弁体１２Ｃの重心Ｇは、前記弁側受け部３３よりも下方であって流体の非流通状態で入口流路１８の中心線ＣＬ上に配置される。
【００４３】
而して前記弁部３１の上面には、前記コイルばね１３の一端部を挿入せしめる前記ばね保持部３３を構成する環状溝が、前記弁側受け部３３を底面とするようにして形成されており、前記弁側受け部３２と、前記ばね保持部３３の全てとが前記弁部３１の上面から下方に凹むようにして該弁部３１に設けられる。
【００４４】
この実施例３によれば、コイルばね１３の一端部がばね保持部３３に挿入、保持されることによって弁部３１の軸線に直交する方向でのコイルばね１３の一端部の変位を阻止しつつ、弁側受け部３２と、ばね保持部３３の少なくとも一部（この実施例３では全部）とが弁部３１の上面から下方に凹むようにして弁部３１に設けられるので、弁体１２Ｃの軽量化を図って慣性モーメントを減らし、弁体１２Ｃの振り子運動の振幅を小さく抑えて、異音を低減することができる。
【実施例４】
【００４５】
本発明の実施例４について図５を参照しながら説明するが、上記実施例１〜３に対応する部分には同一の参照符号を付して図示するのみとし、詳細な説明は省略する。
【００４６】
弁ハウジング１１の弁室１６に収容される弁体１２Ｄは、弁座１７に着座可能な球面状の弁部３５と、前記コイルばね１３の一端部を受ける弁側受け部３６と、前記弁部３５の軸線に直交する方向での前記コイルばね１３の一端部の変位を阻止するようにして該コイルばね１３の一端部を保持するばね保持部３７とを有して、ゴムもしくは合成樹脂によって形成されており、前記弁側受け部３６と、前記ばね保持部３７の少なくとも一部が前記弁部３５の上面から下方に凹むようにして前記弁部３５に設けられる。しかも該弁体１２Ｄの重心Ｇは、前記弁側受け部３６よりも下方であって流体の非流通状態で入口流路１８の中心線ＣＬ上に配置される。
【００４７】
而して前記弁部３５の上面には、前記弁側受け部３６を底面とする環状溝３８が設けられるとともに、該環状溝３８の内周に外周を面一に連ならせる突部３９が突設されており、前記ばね保持部３７は、環状溝３８および突部３９によって構成される。すなわちコイルばね１３の一端部は、弁側受け部３６に当接するようにして環状溝３８に挿入され、頭部３９はコイルばね１３の一端部内に挿入されることになる。
【００４８】
しかもばね保持部３７の一部を構成する前記突部３９の弁部３５からの突出長さは、コイルばね１３の２巻以下の長さに設定される。
【００４９】
この実施例４によっても上記実施例３と同様の効果を奏することができる。しかもばね保持部３７の弁部３５からの突出長さがコイルばね１３の２巻以下の長さに設定されていることで、コイルばね１３の一端部を良好に保持しつつ簡易な構成で弁体１２Ｄの重心を流体力作用中心に近接させることができる。
【実施例５】
【００５０】
本発明の実施例５について図６を参照しながら説明するが、上記実施例１〜４に対応する部分には同一の参照符号を付して図示するのみとし、詳細な説明は省略する。
【００５１】
弁ハウジング１１の弁室１６に収容される弁体１２Ｅは、弁座１７に着座可能な球面状の弁部４１と、前記コイルばね１３の一端を受ける弁側受け部４２と、前記弁部４１の軸線に直交する方向での前記コイルばね１３の一端部の変位を阻止するようにして該コイルばね１３の一端部を保持するばね保持部４３とを有して、ゴムもしくは合成樹脂によって形成されており、前記弁側受け部４２と、前記ばね保持部４３の少なくとも一部が前記弁部４１の上面から下方に凹むようにして前記弁部４１に設けられる。しかも該弁体１２Ｅの重心Ｇは、前記弁側受け部４２よりも下方であって流体の非流通状態で入口流路１８の中心線ＣＬ上に配置される。
【００５２】
而して前記ばね保持部４３は、前記弁側受け部４２を底面とする環状凹部として前記弁部４１の上面に設けられるものであり、弁側受け部４２と、前記ばね保持部４３の全部とが前記弁部４１の上面から下方に凹むようにして前記弁部４１に設けられる。
【００５３】
この実施例５によれば、上記実施例３と同様の効果を奏することができる。
【実施例６】
【００５４】
本発明の実施例６について図７を参照しながら説明するが、上記実施例１〜５に対応する部分には同一の参照符号を付して図示するのみとし、詳細な説明は省略する。
【００５５】
弁ハウジング１１の弁室１６に収容される弁体１２Ｆは、弁座１７に着座可能な球面状の弁部４５と、前記コイルばね１３の一端を受けるようにして前記弁部４５の上面に形成される平坦な弁側受け部４６と、前記コイルばね１３の一端部を保持するようにして前記弁部４５に基端部が同軸に連なるばね保持部４７とを一体に有して、ゴムもしくは合成樹脂によって形成される。しかも該弁体１２Ｆの重心Ｇは、前記弁側受け部４６よりも下方であって流体の非流通状態で入口流路１８の中心線ＣＬ上に配置される。
【００５６】
前記弁側受け部４６に当接される前記コイルばね１３の一端部内には前記ばね保持部４７が挿入されるものであり、前記ばね保持部４７の基端外周には、弁側受け部４６に当接したコイルばね１３の一端部の一部を収容する環状凹部４８が設けられる。
【００５７】
しかも前記ばね保持部４７の直径Ｄ２は、前記弁部４５の直径Ｄ１よりも小さく設定され、前記ばね保持部４７の軸方向長さＬ２は前記弁部４５の軸方向長さＬ１よりも小さく設定される。またばね保持部４７の弁部４５からの軸方向突出長さは、コイルばね１３の２巻以下に設定される。
【００５８】
この第６実施例によれば、ばね保持部４７がコイルばね１３の一端部内に挿入されることで弁部４５の軸線に直交する方向でのコイルばね１３の一端部の変位を阻止しつつ、ばね保持部４７が弁部４５よりも小径かつ弁部４５よりも軸方向長さを短くして形成されるので、弁体１２Ｆの軽量化を図って慣性モーメントを減らし、弁体１２Ｆの振り子運動の振幅を小さく抑えて、異音を低減することができる。
【００５９】
しかもばね保持部４７の弁部４５からの突出長さがコイルばね１３の２巻以下の長さに設定されていることで、コイルばね１３の一端部を良好に保持しつつ簡易な構成で弁体１２Ｆの重心を流体力作用中心に近接させることができる。
【００６０】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００６１】
１１・・・弁ハウジング
１２Ａ，１２Ｂ，１２Ｃ，１２Ｄ，１２Ｅ，１２Ｆ・・・弁体
１３・・・コイルばね
１６・・・弁室
１７・・・弁座
１８・・・入口流路
１９・・・出口流路
２１，２７，３１，３５，４１，４５・・・弁部
２２，２８，３２，３６，４２，４６・・・弁側受け部
２５・・・ハウジング側受け部
２６・・・重錘
２９，３３，３７，４３，４７・・・ばね保持部
３０・・・肉抜き部
ＣＬ・・・中心線
Ｇ・・・重心
【図１】
2011033110.tif 000003
【図２】
2011033110.tif 000004
【図３】
2011033110.tif 000005
【図４】
2011033110.tif 000006
【図５】
2011033110.tif 000007
【図６】
2011033110.tif 000008
【図７】
2011033110.tif 000009
【図８】
2011033110.tif 000010